(57)【要約】【課題】チェーンストークス呼吸様の呼吸状態を容易に検出することができる呼吸用プログラム、記録媒体、及び呼吸状態判定装置を提供すること。【解決手段】ステップ１００にて、パソコン８５に、呼吸状態監視装置５からデータ収集装置３５を介して呼吸信号（呼吸データ）を読み込む。ステップ１１０にて、その呼吸データによって得られる波形から、そのピークの最大値と最小値を求め、その差から最大の振幅を算出する。ステップ１２０にて、最大値と最小値の振幅が２０００となるように、波形全体を演算して調整する。ステップ１３０にて、プロットした各ピークの点が、予め設定した所定のメガネ波形範囲内に９０％以上入っているか否かを判定する。ステップ１４０では、メガネ形状の波形（即ちチェーンストークス呼吸様の呼吸）と判断し、その旨を報知する。【選択図】図９
2008110138.tif 000002
【特許請求の範囲】
【請求項１】
人の呼吸を検出可能なセンサにより得られた呼吸信号が、チェーンストークス呼吸様の波形の信号であるか否かを判定する判定手順を、コンピュータに実行させるための呼吸用プログラム。
【請求項２】
前記請求項１に記載の呼吸用プログラムであって、
更に、前記判定手順による判定結果を出力装置に出力させる出力制御手順を実行させるための呼吸用プログラム。
【請求項３】
前記請求項１又は２に記載の呼吸用プログラムであって、
前記呼吸信号の波形のピークの変化に基づいて前記判定を行う呼吸用プログラム。
【請求項４】
前記請求項３に記載の呼吸用プログラムであって、
前記ピークの変化を示す波形がメガネ形状である場合に、前記チェーンストークス呼吸様の波形であると判定する呼吸用プログラム。
【請求項５】
前記請求項１〜４のいずれかに記載の呼吸用プログラムであって、
前記ピークの変化を示す波形が、前記ピークの振幅が徐々に増加する緩やかな立ち上がり又は立ち下がりである場合に、前記チェーンストークス呼吸様の波形であると判定する呼吸用プログラム。
【請求項６】
前記請求項１〜５のいずれかに記載の呼吸用プログラムであって、
前記チェーンストークス呼吸様の波形であると判定された回数が２回以上の場合に、前記チェーンストークス呼吸様の波形の判定を確定する呼吸用プログラム。
【請求項７】
前記請求項１〜６のいずれかに記載の呼吸用プログラムであって、
前記呼吸信号は、人の呼気又は吸気に接してその信号が変化する素子を利用した呼吸センサから得られる呼吸信号である呼吸用プログラム。
【請求項８】
前記請求項７に記載の呼吸用プログラムであって、
前記呼吸信号として、前記呼吸センサにより検出された前記呼吸信号を記憶する呼吸状態監視装置から得られた信号を用いることを特徴とする呼吸用プログラム。
【請求項９】
前記請求項１〜８のいずれかに記載の呼吸用プログラムを記録したコンピュータ読み取り可能な記録媒体。
【請求項１０】
前記請求項１〜８のいずれかに記載の呼吸用プログラムにより作動する呼吸状態判定装置。
【請求項１１】
前記請求項１０に記載の呼吸状態判定装置であって、
前記判定手順による判定結果を出力可能な出力装置を備えた呼吸状態判定装置。
【発明の詳細な説明】
【技術分野】
【０００１】
本発明は、例えば圧電フィルム等を利用した呼吸センサなどを用いて、チェーンストークス呼吸等の呼吸状態を調べることができる呼吸用プログラム、記録媒体、及び呼吸状態判定装置に関する。
【背景技術】
【０００２】
従来より、異常な呼吸状態として、チェーンストークス呼吸（Cheyne-Stokes respiration：ＣＳＲ）が知られている。このチェーンストークス呼吸は、うっ血性心不全や脳血管障害の患者などに見られる周期的呼吸であり、無呼吸あるいは低呼吸が１５〜２０秒続いた後に、呼吸がゆっくり且つ浅く始まり、徐々に増大した後に減少するという状態が繰り返されるものである。
【０００３】
上述したチェーンストークス呼吸を検出する方法としては、従来より、（呼吸に関する指令信号を検出するために）脳波を測定するとともに、（呼吸による体動を測定するために）体に圧力センサを取り付け、脳波の測定結果と圧力センサの測定結果から総合的に判定する方法が知られている。
【０００４】
なお、呼吸状態を検出するセンサとしては、近年では、口にＰＶＤＦ（ポリフッ化ビニリデン）フィルムを貼り付け、その検出信号から呼吸を検出する技術（特許文献１参照）が開発されている。
【特許文献１】米国特許第５３１１８７５号明細書  （第１頁  第１図）
【発明の開示】
【発明が解決しようとする課題】
【０００５】
しかしながら、上述した従来の技術では、チェーンストークス呼吸を簡単に検出することが難しいという問題があった。
つまり、チェーンストークス呼吸の様な呼吸状態を、多人数のスクリーニングによって簡単に検出できれば、その検出結果に基づいてより精密な検診を実施して、チェーンストークス呼吸自体ひいては（チェーンストークス呼吸に関連する）病気自体を精度良く検出できるが、実際にはそのような効率的なスクリーニングが実施されていないのが現状である。
【０００６】
本発明は、チェーンストークス呼吸様の呼吸状態を容易に検出することができる呼吸用プログラム、記録媒体、及び呼吸状態判定装置を提供すること目的とする。
【課題を解決するための手段】
【０００７】
（１）請求項１の発明は、人の呼吸を検出可能なセンサにより得られた呼吸信号が、チェーンストークス呼吸様の波形の信号であるか否かを判定する判定手順を、コンピュータに実行させるための呼吸用プログラムを要旨とする。
【０００８】
図１に例示する様に、人の呼吸状態を示す呼吸信号（例えばＰＶＤＦを利用した呼吸センサからの呼吸信号：電圧）は、呼気や吸気に応じてその出力が変動する。
具体的には、呼吸状態が正常な場合には、図１（ａ）に例示する様に、呼吸信号は呼吸の影響が無い基準ラインを挟んでほぼ同様な振幅で変動するが、睡眠時無呼吸症候の場合は、図１（ｂ）に例示する様に、無呼吸の状態から一気に振幅が増加する。特に、チェーンストークス呼吸様の呼吸の場合は、図１（ｃ）に例示する様に、無呼吸あるいは低呼吸が続いた後に、呼吸がゆっくり且つ浅く始まり、徐々に増大した後に減少するという状態が繰り返される。
【０００９】
従って、測定によって得られた呼吸信号（従ってその波形）が、例えば図１（ｃ）に示す様に、チェーンストークス呼吸様の呼吸状態を示す波形（即ちチェーンストークス呼吸様の波形）かどうかを判定することにより、チェーンストークス呼吸様の呼吸が発生したかどうかを、従来の複雑な手法によらず、自動的に容易に判断することができる。よって、多くの被験者のデータからチェーンストークス呼吸様の呼吸を効率良く抽出（スクリーニング）することが可能となる。
【００１０】
ここで、チェーンストークス呼吸様の波形は、上述した様に、無呼吸あるいは低呼吸が所定期間（例えば１５秒〜２０秒）続いた後に、呼吸の振幅（ピーク）が徐々に増大した後に減少するという状態が周期的に繰り返されるものである。よって、その波形のピークを結んだ包絡線をとった場合には、その包絡線がチェーン（又はリング）が連鎖したような形状となる。
【００１１】
なお、前記呼吸プログラムは、例えば、ＦＤ、ＣＤ−ＲＯＭ、メモリーカードなどの記録媒体や、インターネットなどの通信回線網を介して、プログラム書込装置自身、コンピュータシステム、または、これらを利用する利用者に提供される。
【００１２】
（２）請求項２の発明は、前記請求項１に記載の呼吸用プログラムであって、更に、前記判定手順による判定結果を出力装置に出力させる出力制御手順を実行させるための呼吸用プログラムを要旨とする。
【００１３】
本発明では、例えば表示装置やスピーカなどにより、チェーンストークス呼吸様の波形の判定結果を報知することができる。
（３）請求項３の発明は、前記請求項１又は２に記載の呼吸用プログラムであって、前記呼吸信号の波形のピークの変化に基づいて前記判定を行う呼吸用プログラムを要旨とする。
【００１４】
前記チェーンストークス呼吸様の波形は、そのピークに着目すると、例えば図２に破線で示す様に、チェーン状に周期的に変化するので、例えばそのピークを結んだ包絡線（呼気側のピーク同士及び吸気側のピーク同士を結んだ包絡線）の形状により容易に判別することができる。
【００１５】
なお、ここでは、「ピークの変化」としては、各ピークの変化だけではなく、ピークの振幅を所定で割合で分割した比例値の変化も含むものとする。
（４）請求項４の発明は、前記請求項３に記載の呼吸用プログラムであって、前記ピークの変化を示す波形（例えば包絡線の形状）がメガネ形状である場合に、前記チェーンストークス呼吸様の波形であると判定する呼吸用プログラムを要旨とする。
【００１６】
本発明は、チェーンストークス呼吸様の波形の判定手法を例示したものである。
なお、メガネ形状とは、メガネの枠を正面から見た形状の様に、チェーンが一対となった形状である。
【００１７】
（５）請求項５の発明は、前記請求項１〜４のいずれかに記載の呼吸用プログラムであって、前記ピークの変化を示す波形が、前記ピークの振幅が徐々に増加する緩やかな立ち上がり又は立ち下がりである場合に、前記チェーンストークス呼吸様の波形であると判定する呼吸用プログラムを要旨とする。
【００１８】
本発明は、チェーンストークス呼吸様の波形の判定手法を例示したものである。
なお、前記波形（例えば包絡線）の立ち上がり又は立ち下がりの傾斜の程度としては、例えば傾斜の比率が７０％以内の緩やかな傾斜が好ましい。
【００１９】
（６）請求項６の発明は、前記請求項１〜５のいずれかに記載の呼吸用プログラムであって、前記チェーンストークス呼吸様の波形であると判定された回数が２回以上の場合に、前記チェーンストークス呼吸様の波形の判定を確定する呼吸用プログラムを要旨とする。
【００２０】
本発明により、確実にチェーンストークス呼吸様の波形の判定を行うことができる。
（７）請求項７の発明は、前記請求項１〜６のいずれかに記載の呼吸用プログラムであって、前記呼吸信号は、人の呼気又は吸気に接してその信号が変化する素子を利用した呼吸センサから得られる呼吸信号である呼吸用プログラムを要旨とする。
【００２１】
本発明は、使用されるセンサ（従って呼吸信号）を例示したものである。この呼吸センサとしては、口及び鼻の近傍に配置されて、口及び鼻からの両方の息に接して出力が変化するものが好適である。この素子としては、圧力によってその出力が変化する圧電素子や、温度によってその出力が変化する温度素子が挙げられるが、両機能を備えた例えばＰＶＤＦ等の素子が好適である。
【００２２】
（８）請求項８の発明は、前記請求項７に記載の呼吸用プログラムであって、前記呼吸信号として、前記呼吸センサにより検出された前記呼吸信号を記憶する呼吸状態監視装置から得られた信号を用いることを特徴とする呼吸用プログラムを要旨とする。
【００２３】
本発明は、使用される呼吸信号を例示したものであり、ここでは、呼吸状態監視装置から読み出される呼吸信号が使用される。
（９）請求項９の発明は、前記請求項１〜８のいずれかに記載の呼吸用プログラムを記録したコンピュータ読み取り可能な記録媒体を要旨とする。
【００２４】
この記録媒体としては、マイクロコンピュータとして構成される電子制御装置、マイクロチップ、フレキシブルディスク、ハードディスク、光ディスク等の各種の記録媒体が挙げられる。つまり、上述した処理を実行させることができるプログラムを記憶したものであれば、特に限定はない。
【００２５】
（１０）請求項１０の発明は、前記請求項１〜８のいずれかに記載の呼吸用プログラムにより作動する呼吸状態判定装置を要旨とする。
この呼吸状態判定装置としては、上述した呼吸用プログラムによって、チェーンストークス呼吸様の波形の信号であるか否かを判定するパソコン等が挙げられる。
【００２６】
（１１）請求項１１の発明は、前記請求項１０に記載の呼吸状態判定装置であって、前記判定手順による判定結果を出力可能な出力装置を備えた呼吸状態判定装置を要旨とする。
【００２７】
この呼吸状態判定装置では、例えば上述した判定結果を、ディスプレイやスピーカなどにより報知することができる。
【発明を実施するための最良の形態】
【００２８】
次に、本発明を実施するための最良の形態の例（実施例）について説明する。
【実施例１】
【００２９】
本実施例の呼吸状態判定装置は、呼吸用プログラムを記憶した記録媒体（例えばハードディスク）を備えたコンピュータとして構成されており、携帯型の呼吸状態監視システムによって得られる呼吸信号（呼吸データ）に基づいて、呼吸状態を判定するための装置である。
【００３０】
ａ）まず、呼吸状態監視システムの構成を、図３〜図５を用いて説明する。
図３に示す様に、呼吸状態監視システム（スクリーナ）１は、呼吸状態、詳しくはチェーンストークス呼吸様の呼吸状態を検出するためのシステムであり、被験者に取り付けられる呼吸センサ３と、呼吸センサ３が着脱可能に取り付けられて、呼吸センサ３からの信号を記録する呼吸状態監視装置５とから構成されている。
【００３１】
前記呼吸センサ３は、略Ｔ字形状の内カバー６及び外カバー７の２重構造からなるセンサ本体８を備えるとともに、両カバー６、７の左右の下端を連結する連結部９と、両カバー６、７の間から伸びる一対のリード線１０、１１と、リード線１０、１１の先端に取り付けられたセンサ側コネクタ１３（図４参照）とを備えている。
【００３２】
このうち、両カバー６、７は、図３の上下方向に伸びる中央部６ａ、７ａが紙面表側に凸となった例えばポリエステルからなる薄肉のフィルム状の部材であり、口及び鼻からの息を検出するための呼吸検出部１４と、呼吸検出部１４の後端側（同図上方）の左右の両端から突出する一対の脚部１６ａ、１６ｂとから構成されている。
【００３３】
また、下カバー６の先端側には、長方形の圧電素子（例えばピエゾ素子）１５が取り付けられており、上カバー７の先端側には、圧電素子１５に対応する投影位置（図３の紙面表側）には、複数のスリット状の換気孔１８が形成されている。
【００３４】
一方、前記呼吸状態監視装置５は、腕等に装着可能なような軽量な携帯型の装置であり、図５に示す様に、略直方体のプラスチック製の筐体１７と、その内部に収容された電子制御装置１９（図６参照）とを備えている。
【００３５】
この呼吸状態監視装置５の上面には、センサ側コネクタ１３が嵌め込まれる装置側上コネクタ（モジュラージャック）２１が設けられるとともに、第１〜第４ＬＥＤ２３〜２９が半透明のカバー３１に覆われて配置されている。
【００３６】
また、呼吸状態監視装置５の左側面には、呼吸状態の測定（監視）の開始や終了のオン・オフを行う測定開始スイッチ３３が配置され、呼吸状態監視装置５の下面には、呼吸状態監視装置５をベース装置（データ収集装置）３５（図７参照）に接続するために、装置側下コネクタ（Ｄ−ＳＵＢコネクタ）３７が配置されている。
【００３７】
更に、呼吸状態監視装置５の正面には、装置の状態等を明確に示すために、動作表示器３９が設けられている。この動作表示器３９は、複数の文字等を表示できる液晶表示装置である。
【００３８】
尚、呼吸状態監視装置５の裏面には、呼吸状態監視装置５自身のＩＤ番号を示すバーコードのシール（記録部）４１が貼り付けられている。
ｂ）次に、呼吸状態監視装置５の電気的構成について、図６を用いて説明する。
【００３９】
図６に示す様に、呼吸状態監視装置５の電子制御装置１９として、周知のＡ／Ｄ内蔵マイコン４３、バッテリ（充電池）６３でバックアップされたリアルタイムクロック４５、不揮発性メモリ４７、フラッシュメモリ４９、シリアル通信回線５１を備えるとともに、チャージアンプ（ＡＭＰ）５３、ゲイン１倍ＡＭＰ５５、ゲイン２倍ＡＭＰ５７を備えている。
【００４０】
また、前記Ａ／Ｄ内蔵マイコン４３は、バッテリ切れ表示器５９の第１ＬＥＤ２３、呼吸フロー表示器６１の第２〜第４ＬＥＤ２５〜２９に接続されている。
このうち、第１ＬＥＤ２３は、充電池６３の電圧が低下すると点灯するランプである。また、第２〜第４ＬＥＤ２５〜２９は、呼吸状態に応じて点滅するランプであり、第３ＬＥＤ２７は呼吸センサ３が呼吸状態監視装置５に接続されると点灯し、第２ＬＥＤ２５は息が吸われと点灯し、第４ＬＥＤ２９は息が吐かれると点灯する。
【００４１】
更に、Ａ／Ｄ内蔵マイコン４３には、動作表示器３９が接続されているとともに、音声合成の機能を有するアンプ６５を介して、スピーカ６７及びイヤホーンジャック６９が接続されている。
【００４２】
装置側下コネクタ３７は、充電池６３を介して、装置側上コネクタ２１に接続され、更に、装置側上コネクタ２１は、電子制御装置１９に電力を供給する電源回路７１に接続されている。
【００４３】
ここで、充電池６３から電源回路７１への回路は、装置側上コネクタ２１によって、常時は、開かれた構造となっている。つまり、呼吸センサ３のセンサ側コネクタ１３を装置側上コネクタ２１に装着することによって、充電池６３から電源回路７１へ電力が供給されるとともに、呼吸センサ３からの信号が呼吸状態監視装置５のＡ／Ｄ内蔵マイコン４３に入力する構成となっている。
【００４４】
ｃ）次に、呼吸状態監視装置５を用いて行われる呼吸データの収集方法について説明する
まず、個々の被験者に対してその呼吸状態を測定する場合には、呼吸状態監視装置５を被験者の腕に取り付ける。また、呼吸センサ３のセンサ本体８を、口と鼻との間に両面テープで取り付ける。
【００４５】
次に、センサ側コネクタ１３を装置側上コネクタ２１に装着すると、充電池６３から電源回路７１に到る回路が閉じて、電子制御装置１９に電力が供給される状態（電源オン）となる。なお、電源がオンとなると、装置の状態に応じて、動作表示器３９を駆動して種々の表示を行う。
【００４６】
また、測定開始スイッチ３３が「入（オン）」に操作されると、呼吸センサ３からの信号の処理が開始され、状況に応じて第２〜第４ＬＥＤ２３〜２９が点灯する。
更に、測定開始スイッチ３３が「入」に操作されてから３分間経過すると、第２〜第４ＬＥＤ２５〜２９は減光する。
【００４７】
そして、呼吸センサ３からの信号をフラッシュメモリ４９に記憶する動作を開始する。具体的には、呼吸センサ３からのアナログ信号（呼吸信号）を入力し、０．１秒毎の信号（振幅値）を呼吸データとして、呼吸状態の解析に必要な時間分（例えば少なくとも３時間分）記憶する。
【００４８】
ｄ）次に、呼吸状態の解析を行う呼吸状態判定装置について説明する。
図７に示す様に、複数の呼吸状態監視装置５を着脱可能に装着するデータ収集装置３５と、呼吸状態監視装置５のバーコードを読み込むバーコードリーダ８３と、バーコードリーダ８３やデータ収集装置３５を制御するパソコン８５と、ディスプレイ８７等とから、全体管理システム８１が構成されている。
【００４９】
前記呼吸状態監視装置５は、データ収集装置３５に装着されることによって、データ収集装置３５のベース側コネクタ（Ｄ−ＳＵＢコネクタ）７３から、装置側下コネクタ３７の専用の充電端子（図示せず）を介して、充電池６３に充電される構成になっている。
【００５０】
特に本実施例では、前記パソコン８５が、呼吸状態判定装置として機能する装置であり、図８に示す様に、周知のＣＰＵ８９、ハードディスク９１、フラッシュメモリ９３、シリアル通信回線９５、コネクタ（Ｄ−ＳＵＢコネクタ）９７、スピーカ９９などを備えている。
【００５１】
従って、このパソコン８５では、呼吸状態監視装置５からデータ収集装置３５を介して読み込まれた呼吸信号（呼吸データ）を用いて、チェーンストークス呼吸様の呼吸を判定したり、その判定結果をディスプレイ８７やスピーカ９９を用いて報知することができる。
【００５２】
ｅ）次に、パソコン８５にて実施されるチェーンストークス呼吸様の呼吸（波形）の判定の手順等について説明する。
チェーンストークス呼吸様の呼吸が発生している場合には、前記図２（ｂ）に示す様な、リングが連鎖する様なメガネ形状の呼吸信号（波形）が観察される。
【００５３】
従って、本実施例では、下記の手順にてメガネ形状の波形を検出する。
図９のフローチャートに示す様に、まず、ステップ（Ｓ）１００にて、図１０（ａ）に示す様に、パソコン８５に、呼吸状態監視装置５からデータ収集装置３５を介して呼吸信号（呼吸に対応した電圧を示す呼吸データ）を読み込む。
【００５４】
尚、図１０は、呼吸信号の波形（振幅の大きさ）を示したものであり、バーチャルスクリーン上に、１０００を中心（基準ライン）として振幅をプロットしたものである。ここでは、最大は２０００になっており、１０００より大きいときは吸気を、１０００より小さいときは呼気を意味する。
【００５５】
次に、ステップ１１０にて、呼吸データによって得られる波形から、そのピークの最大値と最小値を求め、その差から最大の振幅を算出する。
次に、ステップ１２０にて、図１０（ｂ）に示す様に、最大値と最小値の振幅が２０００となるように、波形全体を演算して調整し、パーチャルスクリーン上に、１０００を中心として波形が対称となるようにプロットする。
【００５６】
なお、プロットに際しては、判定される波形の時間軸の調整を行う。つまり、チェーンストークス呼吸様の呼吸を示すメガネ形状の波形であっても、人によってその変化の周期（メガネ形状となる時間）は異なるので、周期を揃えないとメガネ形状の波形を正確に検出できないことがある。よって、ここでは、ピークを結ぶグラフが基準ラインと交差する切替点３個分を１つの周期（判定用周期）とし、その判定用周期を基準となる周期（基準周期）に揃えるように調整する。例えば判定用周期が６０秒であった場合には、判定用周期を基準周期（例えば４０秒）となるようにグラフの左右を縮めるような補正を行う。
【００５７】
次に、ステップ１３０にて、図１０（ｃ）に示す様に、プロットした各ピークの点が、予め設定した所定のメガネ波形範囲内に９０％以上入っているか否かを判定する。
ここで肯定判断されると、ステップ１４０にて、メガネ形状の波形（即ちチェーンストークス呼吸様の呼吸）と判断し、その旨を報知し、一旦本処理を終了する。
【００５８】
一方否定判断されると、ステップ１５０にて、メガネ形状の波形でないと判断し、その旨を報知し、一旦本処理を終了する。
尚、メガネ波形範囲は、例えば実際のチェーンストークス呼吸様の波形から、統計的に代表の波形を選び出して基線を決め、その波形の上限下限の１０％範囲を広げたものを設定する。
【００５９】
ｆ）この様に、本実施例では、呼吸データの波形のピークが、メガネ波形範囲内に９０％以上入っている場合には、チェーンストークス呼吸様の波形（従ってチェーンストークス呼吸様の呼吸）が発生していると判断して、その結果を報知しているので、自動的にチェーンストークス呼吸様の呼吸の発生を検出することができる。
【００６０】
つまり、本実施例によれば、多数の被験者の呼吸データから、チェーンストークス呼吸様の呼吸の抽出を容易に行うことができるので、健診等に際して、その作業能率が高いという顕著な効果を奏する。
【００６１】
なお、前記請求項１の判定手順としては例えば図９のステップ１３０が挙げられ、前記請求項２の出力制御手順としては例えば図９のステップ１４０、１５０が挙げられる。
【実施例２】
【００６２】
次に、実施例２について説明するが、前記実施例１と同様な内容の説明は省略する。
本実施例は、前記実施例１とは、チェーンストークス呼吸様の呼吸を検出するための手法が異なるので、その点を説明する。
【００６３】
本実施例では、図１１に示す様に、呼吸データから得られる波形のピークの包絡線を求め、この包絡線の所定期間（例えば無呼吸又は低呼吸の終了から波形のピークまでの期間）における増加率が、６０度以下の範囲の緩やかに増加する場合には、チェーンストークス呼吸様の呼吸と判断する。
【００６４】
ここで、無呼吸の状態とは、通常の呼吸状態の呼吸信号の１０％以下の振幅の状態をいい、低呼吸の状態とは、通常の呼吸状態の呼吸信号の５０％以下の振幅の状態をいう。
本実施例によっても、前記実施例１と同様な効果を奏する。
【００６５】
また、包絡線を求めるのではなく、図１１に示す様に、前記所定期間における各ピークを最小自乗法によって直線で近似し、その直線の増加率（傾き）によりチェーンストークス呼吸様の呼吸を判定してもよい。
【００６６】
更に、より精度を上げるためには、この様な判定を２回以上行うことが好ましい。
尚、本発明は前記実施例に何ら限定されることなく、本発明の技術的範囲を逸脱しない限り、種々の態様で実施できることはいうまでもない。
【００６７】
（１）例えばパソコンにて呼吸状態の判定を行うのではなく、携帯型の呼吸状態監視装置にて解析を行ってもよい。
（２）また、前記実施例１、２の両方の判定を行うことにより、判定精度を高めることができる。
【００６８】
（３）更に、前記実施例１、２では、パソコンにて処理を行う例について述べたが、本発明は、それらに限らず、上述したアルゴリズムに基づく処理を実行させるプログラムやそのプログラムを記憶している記録媒体にも適用できる。
【００６９】
この記録媒体としては、マイクロコンピュータとして構成される電子制御装置、マイクロチップ、フレキシブルディスク、ハードディスク、光ディスク等の各種の記録媒体が挙げられる。つまり、上述したパソコンの処理を実行させることができるプログラムを記憶したものであれば、特に限定はない。
【００７０】
尚、前記プログラムは、単に記録媒体に記憶されたものに限定されることなく、例えばインターネットなどの通信ラインにて送受信されるプログラムにも適用される。
【図面の簡単な説明】
【００７１】
【図１】（ａ）は正常な呼吸信号を示すグラフ、（ｂ）は睡眠時無呼吸症候の呼吸信号を示すグラフ、（ｃ）はチェーンストークス呼吸様の呼吸を示すグラフである。
【図２】チェーンストークス呼吸様の呼吸のピークをつないだグラフである。
【図３】実施例１の呼吸状態監視システムを示す説明図である。
【図４】呼吸センサの呼吸状態監視装置への装着状態を示す説明図である。
【図５】呼吸状態監視装置を示し、（ａ）は上面図、（ｂ）は正面図、（ｃ）は底面図、（ｄ）は左側面図、（ｅ）は背面図である。
【図６】呼吸状態監視装置の電気的構成を示すブロック図である。
【図７】全体管理システムのシステム構成を示す説明図である。
【図８】パソコンの電気的構成を示すブロック図である。
【図９】実施例１における呼吸データの処理手順を示すフローチャートである。
【図１０】実施例１における呼吸データの判定手法を示す説明図である。
【図１１】実施例２における呼吸データの判定手法を示す説明図である。
【符号の説明】
【００７２】
１・・・呼吸状態監視システム
３・・・呼吸センサ
５・・・呼吸状態監視装置
１５・・・圧電素子
３５・・・データ収集装置
８５・・・パソコン
８７・・・ディスプレイ
９１・・・ハードディスク
【図１】
2008110138.tif 000003
【図２】
2008110138.tif 000004
【図３】
2008110138.tif 000005
【図４】
2008110138.tif 000006
【図５】
2008110138.tif 000007
【図６】
2008110138.tif 000008
【図７】
2008110138.tif 000009
【図８】
2008110138.tif 000010
【図９】
2008110138.tif 000011
【図１０】
2008110138.tif 000012
【図１１】
2008110138.tif 000013